(57)【要約】【課題】本発明は、低価格にて硬質ゴムを利用した円形回転盤に駆動力を与え、またその円形回転盤を使用した多種多様の発動機を作成して、社会の各家庭や業務における電気を、クリーンなエネルギーとして世界中に提供することを目的とするものである。【解決手段】本発明の発電機は、風力発電機と比較してみても、発電機の発電能力の３０分の１程度の電源を使用した震動モーターの僅かな震動と硬質ゴムを利用した回転盤によって生み出される重度の回転エネルギーによって更に発電機を回転させることが出来る特徴を持ち、地下資源のエネルギーなどに頼らずに、地球上の空気をも汚さずに新しい電気を生み出すことを目的として構成するものである。【選択図】図２
2013048537.tif 000002
【特許請求の範囲】
【請求項１】
一般家庭での消費電力を賄える程度の発電機を駆動（回転）させるために、その発電機の発電能力の３０分の１程度の電源震動モーターを設置した硬質ゴム製の円盤を硬質ドラムの中において回転させて駆動力を増やし、その回転を更に発電機を駆動（回転）させる装置を使用した家庭用発電機。
【請求項２】
上記［請求項１］を大型化した業務用発電機等。
【請求項３】
本発明はあくまでも、発電機を作動させる為の発動機である。
作動させた発電機より、その僅かな電力を使用した震動モーターを作動させて  その震動を利用して硬質ゴムの回転盤を作動させ、大きな軌動力に変化させる発明である。
【請求項４】
本発明は電力を巡回させ、また  粗永久的に発電使用できるものである。
【発明の詳細な説明】
【技術分野】
【０００１】  本発明は、ゴムの性質より生じるエネルギーを利用（使用）した発電器に関する。
もともと、ゴムは地上より採取できる、伸びる性質伸びたゴムは、縮む性質を備えている。
【背景技術】
【０００２】  従来、発電をするためには、発電機のタービンを動かすために、ウラン、石油石炭、などに因り水蒸気を念頭とした機械構成であった。石炭で蒸気機関車を走らせたのは６０年前である。
また、５０年前には、ゴムひもの出力するエネルギーを利用した模型飛行機などの玩具を製作して、ゴムの特徴を生かしてプロペラを回し、「ゴム飛行機」や、「船の模型」などを飛ばし走らせていた。【０００３】  また、近年では、太陽光発電などが出てきているが、高価であり、雨季時、夜間等の日照時間、などにリスクが大きい。【０００４】  同じく、風力発電等においても大きなリスクを有する。
【発明が解決しようとする課題】
【０００５】  しかしながら上記従来の構成では、６０年も前に考案された水蒸気によって発電機のタービンを駆動しようとして電気というエネルギーを作ろうとして  前者は態々核などという危険な物質を使用し、また世界情勢は、石油などエネルギー確保のために、いつでも世界中で大きな戦争が起きている。
本発明は上記従来の課題を  根本的に解決するものであり、低価格にて発電機のタービンを駆動させる事を含んだ発電機を提供することを目的とするものである。
【課題を解決するための手段】
【０００６】  上記課題（エネルギー問題）を解決するためには、単に発電機を高速回転させればよいものであり、現在では、インバーター発電や蓄電器など、発電機そのものが改革されており、そのような発電器そのものをただ回転させて電気を作るためには、ウランや、石油などの地球内部のエネルギーなどの必要は無い。
本発明は地球外部に有する  ゴムの持つエネルギーを使用して発電機を駆動するものである。
クリーンな地球環境を維持する事から  ゴムを燃やすものなどではない。
【０００７】  ゴムのエネルギーは多大である。
自動車のタイヤはゴムでできている。
走るにしても、また、ブレーキを掛けたときのゴムでできているタイヤからのエネルギーは  特に多大である。
そのゴムの、戻ろうとするエネルギーを利用して  発電機を回転させるのである。
【０００８】当発明の原理は、当発明者が前日特許願書提出済みの特許願２００９−２９９３８８及び２０１０−５３７１９と同様の原理である。
【０００９】  発電機については、当発明者にはあまり知識を持たないが、現在流出している電気モーターを高速回転させれば直流の電気が発生する。
交流電気を発生させるためには、モーター内の銅線巻きつけに加え、電磁を与えなければならないと聞く。
ネオジウム磁石などによっての交流発電機は相当な進歩を遂げていると考えられる。
【発明の効果】
【００１０】  本発明の原理は上記［０００８］の原理を利用したものである。（特許願書提出済みの２０１０−５３７１９の［請求項５］とその［図７］）
携帯電話機に装着されている極小の震動モーターの連続震動により走り回る玩具である。
試作済であり、走る速さは絶大であり、また力強いものである。
【００１１】  本発明の効果は、（極小の震動モーター）と（硬質ゴムを使用した摺り足）によって生じる駆動力を回転させる研究し、利用するものである。
未だ試作品は完成していないが近日中に必ず成功する原理である。
【００１２】  若し、電気を発生させるための発電器を、その発電機から発生した電気を使用して電気モーターを駆動させて、その駆動力で発電機を駆動させることが出来るとすれば  その発電システムは永久に稼動し続ける。
何のエネルギーも要らないが、絶対的に不可能であることと誰もが考えると思うが必ず研究を多少重ねれば実行が可能である。
【発明を実施するための最良の形態】
【００１３】    以下、本発明の一実施の形態について図面を参照しながら説明する。
図１の▲１▼は、現在使用されている発電機である。
発電を行うことは、発電機に高速回転を加えれば良いことである。
▲１▼の発電機は  交流電気２００Ｖ（ボルト）３０００Ｗの出力と仮定する。
▲２▼のモーターの消費電力は発電容量の３０分の１の直流電気１００Ｗと仮定する。
出力電気３０００ワットと対比して消費電力は１００ワットであり３０分の１であることから発電器▲１▼からモーター▲２▼への電源供給の回路の間に直流蓄電器などを備えれば直流モーター▲２▼は回転のムラが無く回り続ける。【００１４】  ▲２▼のモーターはあくまでも回転力を直接動力として使用するものではなく、微細な震動を起こすことだけに意義があるため消費電力の大きさにはあまり拘らない。▲１▼の発電量の対比を重要視してモーター▲２▼の震動量の大きさを決める。【００１５】  ▲３▼の回転摺り足の原材料は弾みのあるスーパーボールなどの原料ゴムを使用することで回転力を大きくする。
回転の速さよりも、回転力（馬力）が重要である。【００１６】  ▲３▼の回転摺り足の長さ、形、角度によっての馬力調整研究が必要である。【００１７】  課題がある。
電気３，０００Ｖを生み出す発電機から発生された電気を使用して１００Ｖの震動モーターを稼動できるか、否かだけが課題である。
いまどきの科学の力があれば、絶対可能であることを信じている。【００１８】  将来必ず、ゴムのエネルギーを、駆使した発電機が製作されることを念じて  ここに特許を申請する。【００１９】  特許申請内容（範囲）は、家庭用発電機、及び、商業用発電器までとする。
【図面の簡単な説明】
【図１】水蒸気や水を使用した従来の発電機のタービン。
【図２】小さな震動モーターと硬質ゴムを利用した発動機において大きな発電機を高速回転させるための断面図。
【図３】本発明の発動機の断面図。
【図１】
2013048537.tif 000003
【図２】
2013048537.tif 000004
【図３】
2013048537.tif 000005